(57)【特許請求の範囲】
【請求項１】
外壁面材がＰＣａ版からなり、
この外壁面材の背面側には、パネルフレームに沿う複数箇所において、フレーム接合金物が備えられ、
各フレーム接合金物は、ナットからなり、ＰＣａ版成形時に、インサートとして、外壁面材の外面側には露出せず、背面側に露出し、かつ、背面側から外方に突出しない態様の埋込み状態にセットされることによって、外壁面材と接合一体化されており、
パネルフレームは、これらフレーム接合金物で、外壁面材の背面側に、外壁面材との間に間隔をおくようにして取り付けられている外壁パネルであって、
前記パネルフレームは、溝形材からなり、ウェブを外壁面材の背面に対して直交するように向けて配置され、ウェブの内面にはプロジェクションナットが取り付けられ、
前記フレーム接合金物を構成する前記埋込みナットには、雄ネジ棒とその一端に面内方向を雄ネジ棒の軸線方向と平行に向けるように設けられたプレートとを備えた金物の前記雄ネジ棒が螺合連結され、プレートにはボルト通し孔が設けられ、
パネルフレームは、プレートのボルト通し孔に通されたボルトがウェブの外方よりプロジェクションナットに螺合締結されて外壁面材の背面側に接合されていることを特徴とする外壁パネル。
【請求項２】
外壁面材がＰＣａ版からなり、
この外壁面材の背面側には、パネルフレームに沿う複数箇所において、フレーム接合金物が備えられ、
各フレーム接合金物は、ナットからなり、ＰＣａ版成形時に、インサートとして、外壁面材の外面側には露出せず、背面側に露出し、かつ、背面側から外方に突出しない態様の埋込み状態にセットされることによって、外壁面材と接合一体化されており、
パネルフレームは、これらフレーム接合金物で、外壁面材の背面側に、外壁面材との間に間隔をおくようにして取り付けられている外壁パネルであって、
前記パネルフレームは、溝形材からなり、ウェブを外壁面材の背面に対して直交するように向けて配置され、パネルフレームの溝内には、溝外に突出するブラケットが取り付けられ、ブラケットの溝外突出部にはボルト通し孔が設けられ、ブラケットの溝外突出部と前記埋込みナットとの間に間隔保持材を介在させた状態で、ボルトがブラケットの溝外突出部のボルト通し孔に通され、埋込みナットに螺合締結されて、パネルフレームが外壁面材の背面側に接合されていることを特徴とする外壁パネル。
【請求項３】
外壁面材がＰＣａ版からなり、
この外壁面材の背面側には、パネルフレームに沿う複数箇所において、フレーム接合金物が備えられ、
各フレーム接合金物は、ナットからなり、ＰＣａ版成形時に、インサートとして、外壁面材の外面側には露出せず、背面側に露出し、かつ、背面側から外方に突出しない態様の埋込み状態にセットされることによって、外壁面材と接合一体化されており、
パネルフレームは、これらフレーム接合金物で、外壁面材の背面側に、外壁面材との間に間隔をおくようにして取り付けられている外壁パネルであって、
前記パネルフレームは、溝形材からなり、ウェブを外壁面材の背面に対して直交するように向けて配置され、パネルフレームの溝内には、溝外に突出するブラケットが取り付けられ、ブラケットの溝外突出部の外壁面材側の面には引掛け用の頭部膨出のピンが突設され、
雄ネジ棒とその一端に面内方向を雄ネジ棒の軸線方向と垂直となるように設けられ、前記ピンを係合させる切欠きが設けられたプレートとを備えた金物の前記雄ネジ棒が前記埋込みナットに螺合連結され、パネルフレーム側のブラケットの溝外突出部のピンが、プレートの切欠き内に導入されて、外壁面材とパネルフレームとがピン掛け状態に接合されていることを特徴とする外壁パネル。
【発明の詳細な説明】
【０００１】
【発明の属する技術分野】
本発明は、外壁パネルに関する。
【０００２】
【従来の技術】
外壁パネルを構成する、外壁面材と、その裏面に備えられるフレームとは、従来、外壁面材に前後方向に貫通するビス通し孔を形成し、ビスを、外壁面材の外面側から、このビス通し孔に通し、合板等の下地材を介して、フレームと螺合させるというようにして接合していた。
【０００３】
そして、ビス通し孔には、外壁面材の外面側において、ビス頭の突出を防ぐ座堀り部が設けられていて、ビス止めの痕跡を残さないよう、ビス頭の存置されたこの座堀り部内にはパテが詰められ、仕上げとしてタッチアップ、即ち塗装が施されていた。
【０００４】
【発明が解決しようとする課題】
しかしながら、上記のような接合形態では、外壁面材の外面の座堀り部にパテを詰めて塗装を行うとはいえ、詰めたパテが硬化後にやせを生じたり、塗装にムラを生じたりして、外壁面材の外面の美観を損なわせてしまうことがあるというような問題があった。
【０００５】
また、外壁面材とフレームとを接合するために、外壁面材に前後方向の貫通するビス通し孔を形成しなければならず、その加工が厄介であるのみならず、接合後は、パテ詰めやタッチアップを行わなければならず、手間を要し、外壁面材とパネルフレームとを生産性良く接合することができないという問題もあった。
【０００６】
本発明は、上記のような従来の問題点に鑑み、外壁面材の外面の美観を損なわせることなく、外壁面材とフレームとを生産性良く接合することができる構造の外壁パネルを提供することを課題とする。
【０００７】
【課題を解決するための手段】
上記の課題は、外壁面材がＰＣａ版からなり、
この外壁面材の背面側にフレーム接合金物が備えられ、
このフレーム接合金物は、ＰＣａ版成形時に、インサートとして、外壁面材の外面側には露出せず背面側に露出する態様の埋込み状態にセットされることによって、外壁面材と接合一体化されており、
パネルフレームは、このフレーム接合金物で、外壁面材の背面側に取り付けられていることを特徴とする外壁パネルによって解決される。
【０００８】
即ち、この外壁パネルでは、外壁面材がＰＣａ板からなり、この外壁面材に対し、インサートとして、外面側には露出せず背面側に露出する態様の埋込み状態にセットされて接合一体化されたフレーム接合金物で、パネルフレームが外壁面材に接合されているものであるから、外壁面材の外面側はスッキリとしており、外壁面材の外面の美観を損なわせることがない。
【０００９】
しかも、外壁面材はＰＣａ板からなり、外壁面材の製作成形過程でインサートとして埋め込まれて接合一体化された接合金物を用いて、外壁面材とフレームとを接合するものであるから、接合に際して、外壁面材に前後方向に貫通する接合用の孔を形成するというような加工を施す必要がなく、外壁面材とフレームとを生産性良く接合することができる。
【００１０】
のみならず、パネルフレームを接合した外壁面材の外面側は、上記のようにスッキリとしているので、外壁面材とフレームとを接合した後にパテ詰めやタッチアップを行う必要がなく、工数を減らすことができて、外壁面材とフレームとをより一層生産性良く接合することができる。
【００１１】
フレーム接合金物が雌ネジ部材を用いる場合は、外壁面材の背面側からのフレーム接合金物の突出を小さくでき、あるいは、なくすことができて、外壁面材の運搬や保管、取扱いに支障を生じさせることがなく、それでいて、パネルフレームをしっかりと接合させることができる。
【００１２】
【発明の実施の形態】
次に、本発明の実施形態を図面に基づいて説明する。
【００１３】
図４に示す外壁パネル１において、２は外壁面材、３はパネルフレームである。
【００１４】
外壁面材２は、ＰＣａ版によるもので、製作、成形過程においてインサートを埋込んで取り付けることができるものであればよく、例えば、ガラス繊維補強コンクリート版（ＧＲＣ）、ビニロン繊維補強コンクリート版（ＶＦＲＣ）、軽量コンクリート版、普通コンクリート版などからなる。
【００１５】
パネルフレーム３は、鉄等の金属製の溝形材３ａ…を、内向きにして、方形状に組んで、溶接等で接合一体化したものである。なお、５はブレースである。パネルフレーム３は、外壁面材２の背面側に組まれ、縦横の溝形材３ａ…に沿う複数箇所において外壁面材２と接合される。Ａ…はその接合箇所である。
【００１６】
この接合のため、外壁面材２の背面側には、図１及び図２に示すように、フレーム接合金物及び雌ネジ部材としてのナット４が、インサートとして、外壁面材２の内部に、外壁面材２の外面側には露出せず、背面側に露出し、かつ、背面から外方に突出しない態様で、埋込み状態にセットされ、外壁面材２と接合一体化されている。
【００１７】
この埋込みナット付き外壁面材２の製作は、図３（イ）に示すような定着筋６、あるいは、図３（ロ）に示すような定着プレート７の取り付けられたナット４を用い、図３（ハ）に示すように定盤８上に周囲を囲む型枠９をセットし、図３（ニ）に示すように型枠９内にコンクリート１０を打ち込み、図３（ホ）に示すようにコンクリート１０にナット４をインサートとして埋込み状態にセットし、そして、コンクリート１０を養生硬化させ、図３（ヘ）に示すように脱型するというようにして行えばよい。
【００１８】
上記の埋込みナット４で、パネルフレーム３を外壁面材２の背面側に接合するため、次のような構成が採られている。
【００１９】
即ち、図１及び図２に示すように、パネルフレーム３を構成する溝形材３ａのウェブの内面に、プロジェクションナット１１が溶接で取り付けられ、ウェブの外側からこのプロジェクションナット１１にねじ込みを行えるようになっている。また、１２は接合に用いる金物で、この金物１２は、埋込みナット４と螺合可能な雄ネジ棒１３の一端にプレート１４を溶接で接合したもので、プレート１４にはボルト通し孔１５が設けられている。プレート１４は、その面内方向を雄ネジ棒１３の軸線方向と平行に向けるようにして、雄ネジ棒１３と接合一体化されている。
【００２０】
外壁面材２とパネルフレーム３とは、この金物１２を用い、その雄ネジ棒１３を外壁面材２の埋込みナット４に螺合させることによって金物１２を外壁面材２に取り付け、しかる後、金物１２のプレート１４の内面側にパネルフレーム３の溝形材のウェブの外面側を沿わせ、そして、外方より、ボルト１６を、プレート１４のボルト通し孔１５を通じて、ウェブ内面のプロジェクションナット１１に螺合させ、締め付けるというようにして接合される。ボルト１６には、平頭ナベボルトが用いられ、金物１２のプレート１４のボルト通し孔１５を囲む内周部は、平頭ナベボルト１６の頭部１６ａを外方に突出しないように収納しながらこの頭部１６ａを係合させうる斜面１５ａに形成されている。なお、１７はロックウールフェルトである。
【００２１】
上記の外壁パネル１では、外壁面材２の外面側はスッキリしており、従って、外壁面材２の背面側にパネルフレーム３を取り付けることで外壁面材２の外面側の美観が損なわれるというようなことがない。
【００２２】
しかも、外壁面材２にその成形製作過程で備えられた埋込みナット４でパネルフレーム３を接合する構造であるから、接合に際して、外壁面材２に前後方向に貫通する取付け孔を形成するというような加工をする必要がないし、また、外壁面材２の外観はスッキリしているので、接合後にパテ詰めやタッチアップを行う必要もなく、工数を減らして、外壁面材２とパネルフレーム３とを生産性良く接合することができる。
【００２３】
加えて、外壁面材２を、背面側を上にして、パネルフレーム３の接合を行う場合に、この接合構造によれば、外壁面材の外面側にパテ詰めやタッチアップを行う必要がないから、パテ詰めやタッチアップのために外壁面材を反転させて外面側を上や横に向ける必要がなく、従って、接合作業を容易かつ簡易に行うことができる。更に、ボルト１６の締付け作業も、他と干渉することなく、横方向から、容易に行うことができる。
【００２４】
上記の埋込みナット４で、パネルフレーム３を外壁面材２の背面側に接合する他の構造として、図５及び図６に示すような構造が採用されてもよい。即ち、パネルフレーム３に、内向きに突出するブラケット２１が溶接で一体的に取り付けられており、このブラケット２１の突出部２１ａにはボルト通し孔２２が設けられている。なお、このブラケット２１として、図示の実施形態では、アングル材を用いられており、その一方板部を溝形材３ａの内部に配置して溶接し、もう一方板部を溝外に突出させて突出部２１ａとしている。
【００２５】
外壁面材２とパネルフレーム３とは、パネルフレーム３を外壁面材２の背面側に沿わせ、ブラケット２１の突出部２１ａと埋込みナット４との間に間隔保持用のリング２３を介在させた状態で、ボルト２４をブラケット２１のボルト通し孔２２、リング２３を通じて埋込みナット４に螺合させ、締め付けるというようにして接合される。
【００２６】
この接合構造では、外壁面材２の背面側を上にしてパネルフレーム３の接合を行う場合に、ボルト２４の締付け操作を横向きでなく下向きで行うことができ、ボルト２４の締付けを作業上容易に行うことができる。
【００２７】
なお、リング２３に替えてナットを用い、このナットとボルト２４の頭部とでブラケット２１の突出部２１ａを両側から挟み込むことで、パネルフレーム３と外壁面材２との間に間隔をおくようにしてもよい。
【００２８】
上記の埋込みナット４で、パネルフレーム３を外壁面材２の背面側に接合する他の構造として、更に、図７及び図８に示すような構造が採用されてもよい。即ち、パネルフレーム３に、内向きに突出するブラケット３１が一体的に取り付けられており、このブラケット３１の突出部３１ａの外壁面材側の面には引っ掛け用の頭部膨出のピン３２が突設されている。また、３３は接合に用いる金物で、この金物３３は、埋込みナット４と螺合可能な雄ネジ棒３４の一端にプレート３５を溶接で接合したもので、プレート３５には、ピン３２を係合させる切欠き３６が設けられている、切欠き３６は、Ｌ字状のもので、一方の辺３６ａはピン導入部としてプレート３５の側縁に開放され、これと直交するもう一方の辺３６ｂにピン３２が入り込むようになされている。切欠き３６の幅は、ピン３２の膨出頭部より狭く、ピン本体首部より広く設計されている。プレート３５は、その面内方向を雄ネジ棒３４の軸線方向と垂直にするようにして、雄ネジ棒３４と接合一体化されている。
【００２９】
外壁面材２とパネルフレーム３とは、金物３３の雄ネジ棒３４を外壁面材２の埋込みナット４に螺合させて取り付け、そして、パネルフレーム３を外壁面材２の背面側に沿わせ、金物３３のプレート３５のＬ切欠き３６内に、パネルフレーム３側のピン３２を導入して引っ掛け状態にするというようにしてピン接合される。
【００３０】
この接合構造では、外壁面材２とパネルフレーム３とピン掛けすることで接合でき、接合が容易である。また、取付け状態においてある程度の自由度を持たせることができる利点もある。
【００３１】
以上に、本発明の実施形態を示したが、本発明はこれに限られるものではなく、発明思想を逸脱しない範囲で、各種の変更が可能である。例えば、上記の実施形態では、外壁面材２にインサートとして埋め込むフレーム接合金物として、ナット４を用いた場合を示しているが、ナット以外のものであってよいことはいうまでもない。
【００３２】
【発明の効果】
上述の次第で、本発明の外壁パネルは、上記のような構成を有するものであるから、外壁面材の外面の美観を損なわせることなく、外壁面材とフレームとを生産性良く接合することができる。
【図面の簡単な説明】
【図１】実施形態を示すもので、外壁面材とパネルフレームの接合部構造を示す断面図である。
【図２】同一部断面分解斜視図である。
【図３】図（イ）は埋込みナットの斜視図、図（ロ）は埋込みナットの変形例を示す斜視図、図（ハ）乃至図（ヘ）は埋込みナット付き外壁面材の製造方法を順次に示す断面図である。
【図４】外壁パネルの背面図である。
【図５】外壁面材とパネルフレームの接合部構造の他の実施例を示す断面図である。
【図６】同一部断面分解斜視図である。
【図７】外壁面材とパネルフレームの接合部構造の更に他の実施例を示す断面図である。
【図８】同一部断面分解斜視図である。
【符号の説明】
１…外壁パネル
２…外壁面材
３…パネルフレーム
４…埋込みナット（雌ネジ部材、フレーム接合金物）
【図１】
0004219500.tif 000002
【図２】
0004219500.tif 000003
【図３】
0004219500.tif 000004
【図４】
0004219500.tif 000005
【図５】
0004219500.tif 000006
【図６】
0004219500.tif 000007
【図７】
0004219500.tif 000008
【図８】
0004219500.tif 000009